(57)【要約】  本願の実施例は、下り制御情報のタイプを状況に応じて使い分け、全体の指示オーバーヘッドを効率的に抑えることができる情報伝送方法、端末デバイス及びネットワークデバイスを提供する。該方法は、端末デバイスがページングメッセージをスケジューリングする下り制御情報を受信することと、前記端末デバイスが前記第１の指示情報に基づいて、前記下り制御情報に含まれる制御情報のタイプを決定することとを含み、前記下り制御情報が第１の指示情報を含み、前記第１の指示情報が前記下り制御情報に含まれる制御情報のタイプを示す。
2021525027.tif 000002
【特許請求の範囲】
【請求項１】
端末デバイスがページングメッセージをスケジューリングする下り制御情報を受信することと、
前記端末デバイスが第１の指示情報に基づいて、前記下り制御情報に含まれる制御情報のタイプを決定することとを含み、
前記下り制御情報が前記第１の指示情報を含み、前記第１の指示情報が前記下り制御情報に含まれる制御情報のタイプを示すために使用される
ことを特徴とする情報伝送方法。
【請求項２】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ  １５の端末デバイスに対する予約情報のうちの少なくとも１つのを含む
ことを特徴とする請求項１に記載の情報伝送方法。
【請求項３】
前記ショートメッセージは、システムメッセージ更新の指示、コマーシャルアラート指示及び津波地震アラートの指示のうちの少なくとも１つを含む
ことを特徴とする請求項２に記載の情報伝送方法。
【請求項４】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １５の端末デバイスに対する予約情報であることを示す
ことを特徴とする請求項２又は３に記載の情報伝送方法。
【請求項５】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む
ことを特徴とする請求項１に記載の情報伝送方法。
【請求項６】
前記ショートメッセージは、システムメッセージ更新の指示、コマーシャルアラート指示及び津波地震アラートの指示のうちの少なくとも１つを含む
ことを特徴とする請求項５に記載の情報伝送方法。
【請求項７】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １６又は後続のリリースの拡張ページングメカニズムの下り制御情報であることを示す
ことを特徴とする請求項５又は６に記載の情報伝送方法。
【請求項８】
前記第１の指示ビットが２つのビットを占用する
ことを特徴とする請求項４又は７に記載の情報伝送方法。
【請求項９】
前記第１の指示ビットが前記第４のビットである場合、前記下り制御情報に含まれる制御情報のタイプは、さらに、
Ｒｅｌ  １６又は後続のリリースにおけるページングメッセージが搬送されるＰＤＳＣＨのスケジューリング情報、Ｒｅｌ  １６又は後続のリリースにおけるショートメッセージ、Ｒｅｌ  １６又は後続のリリースにおけるページングメッセージが搬送されるＰＤＳＣＨのスケジューリング情報及びショートメッセージを含む
ことを特徴とする請求項４、７又は８に記載の情報伝送方法。
【請求項１０】
前記第１の指示情報が第２の指示ビットを含み、前記第２の指示ビットは、Ｒｅｌ  １６又は後続のリリースにおけるページングメッセージが搬送されるＰＤＳＣＨのスケジューリング情報を示し、又は、Ｒｅｌ  １６又は後続のリリースにおけるショートメッセージを示し、又は、Ｒｅｌ  １６又は後続のリリースにおけるページングメッセージが搬送されるＰＤＳＣＨのスケジューリング情報及びショートメッセージを示す
ことを特徴とする請求項９に記載の情報伝送方法。
【請求項１１】
前記第１の指示ビットが前記第４のビットであり、前記第２の指示ビットが第５のビットである場合、前記第１の指示情報は、前記下り制御情報に含まれる制御情報のタイプがＲｅｌ  １６又は後続のリリースにおけるページングメッセージが搬送されるＰＤＳＣＨのスケジューリング情報であることを示し、又は、
前記第１の指示ビットが前記第４のビットであり、前記第２の指示ビットが第６のビットである場合、前記第１の指示情報は、前記下り制御情報に含まれる制御情報のタイプがＲｅｌ  １６又は後続のリリースにおけるショートメッセージであることを示し、又は、
前記第１の指示ビットが前記第４のビットであり、前記第２の指示ビットが第７のビットである場合、前記第１の指示情報は、前記下り制御情報に含まれる制御情報のタイプがＲｅｌ  １６又は後続のリリースにおけるページングメッセージが搬送されるＰＤＳＣＨのスケジューリング情報及びショートメッセージであることを示す
ことを特徴とする請求項１０に記載の情報伝送方法。
【請求項１２】
前記第２の指示ビットが２つのビットを占用する
ことを特徴とする請求項１０又は１１に記載の情報伝送方法。
【請求項１３】
前記第１の指示情報が第３の指示ビットを含み、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す
ことを特徴とする請求項２、３、５又は６に記載の情報伝送方法。
【請求項１４】
前記第３の指示ビットが前記第９のビットである場合、ページングメッセージが搬送されるＰＤＳＣＨのスケジューリング情報のビットフィールドが存在し、前記ビットフィールドがスケジューリング情報を示さない
ことを特徴とする請求項１３に記載の情報伝送方法。
【請求項１５】
前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する
ことを特徴とする請求項１３に記載の情報伝送方法。
【請求項１６】
前記第３の指示ビットが１つのビットを占用する
ことを特徴とする請求項１３〜１５のいずれか１項に記載の情報伝送方法。
【請求項１７】
ネットワークデバイスがページングメッセージをスケジューリングする下り制御情報を端末デバイスに送信することを含み、前記下り制御情報が第１の指示情報を含み、前記第１の指示情報は、前記端末デバイスが前記下り制御情報に含まれる制御情報のタイプを決定するために用いられる
ことを特徴とする情報伝送方法。
【請求項１８】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ  １５の端末デバイスに対する予約情報のうちの少なくとも１つのを含む
ことを特徴とする請求項１７に記載の情報伝送方法。
【請求項１９】
前記ショートメッセージは、システムメッセージ更新の指示、コマーシャルアラート指示及び津波地震アラートの指示のうちの少なくとも１つを含む
ことを特徴とする請求項１８に記載の情報伝送方法。
【請求項２０】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １５の端末デバイスに対する予約情報であることを示す
ことを特徴とする請求項１８又は１９に記載の情報伝送方法。
【請求項２１】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む
ことを特徴とする請求項１７に記載の情報伝送方法。
【請求項２２】
前記ショートメッセージは、システムメッセージ更新の指示、コマーシャルアラート指示及び津波地震アラートの指示のうちの少なくとも１つを含む
ことを特徴とする請求項２１に記載の情報伝送方法。
【請求項２３】
前記第１の指示情報が第１の指示ビットを含み、
前記第１の指示ビットが第１のビットである場合、前記第１の指示情報は、前記端末デバイスが前記下り制御情報に含まれる制御情報のタイプをページングメッセージが搬送されるＰＤＳＣＨのスケジューリング情報として決定するように指示し、又は、
前記第１の指示ビットが第２のビットである場合、前記第１の指示情報は、前記端末デバイスが前記下り制御情報に含まれる制御情報のタイプをショートメッセージとして決定するように指示し、又は、
前記第１の指示ビットが第３のビットである場合、前記第１の指示情報は、前記端末デバイスが前記下り制御情報に含まれる制御情報のタイプをページングメッセージが搬送されるＰＤＳＣＨのスケジューリング情報及びショートメッセージとして決定するように指示し、又は、
前記第１の指示ビットが第４のビットである場合、前記第１の指示情報は、前記端末デバイスが前記下り制御情報に含まれる制御情報のタイプをリリースＲｅｌ１６または後続のリリースの拡張ページングメカニズムにおける下り制御情報として決定するように指示する
ことを特徴とする請求項２１又は２２に記載の情報伝送方法。
【請求項２４】
前記第１の指示ビットが２つのビットを占用する
ことを特徴とする請求項２０又は２３に記載の情報伝送方法。
【請求項２５】
前記第１の指示ビットが前記第４のビットである場合、前記下り制御情報に含まれる制御情報のタイプは、さらに、
Ｒｅｌ  １６又は後続のリリースにおけるページングメッセージが搬送されるＰＤＳＣＨのスケジューリング情報、Ｒｅｌ  １６又は後続のリリースにおけるショートメッセージ、Ｒｅｌ  １６又は後続のリリースにおけるページングメッセージが搬送されるＰＤＳＣＨのスケジューリング情報及びショートメッセージを含む
ことを特徴とする請求項２０、２３又は２４に記載の情報伝送方法。
【請求項２６】
前記第１の指示情報が第２の指示ビットを含み、前記第２の指示ビットは、Ｒｅｌ  １６又は後続のリリースにおけるページングメッセージが搬送されるＰＤＳＣＨのスケジューリング情報を示し、又は、Ｒｅｌ  １６又は後続のリリースにおけるショートメッセージを示し、又は、Ｒｅｌ  １６又は後続のリリースにおけるページングメッセージが搬送されるＰＤＳＣＨのスケジューリング情報及びショートメッセージを示す
ことを特徴とする請求項２５に記載の情報伝送方法。
【請求項２７】
前記第１の指示ビットが前記第４のビット、前記第２の指示ビットが第５のビットである場合、前記第１の指示情報は、前記端末デバイスが前記下り制御情報に含まれる制御情報のタイプをＲｅｌ  １６又は後続のリリースにおけるページングメッセージが搬送されるＰＤＳＣＨのスケジューリング情報として決定するように指示し、又は、
前記第１の指示ビットが前記第４のビット、前記第２の指示ビットが第６のビットである場合、前記第１の指示情報は、前記端末デバイスが前記下り制御情報に含まれる制御情報のタイプをＲｅｌ  １６又は後続のリリースにおけるショートメッセージとして決定するように指示し、又は、
前記第１の指示ビットが前記第４のビット、前記第２の指示ビットが第７のビットである場合、前記第１の指示情報は、前記端末デバイスが前記下り制御情報に含まれる制御情報のタイプをＲｅｌ  １６又は後続のリリースにおけるページングメッセージが搬送されるＰＤＳＣＨのスケジューリング情報及びショートメッセージとして決定するように指示する
ことを特徴とする請求項２６に記載の情報伝送方法。
【請求項２８】
前記第２の指示ビットが２つのビットを占用する
ことを特徴とする請求項２６又は２７に記載の情報伝送方法。
【請求項２９】
前記第１の指示情報が第３の指示ビットを含み、ここで、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す
ことを特徴とする請求項１８、１９、２１又は２２に記載の情報伝送方法。
【請求項３０】
前記第３の指示ビットが前記第９のビットである場合、ページングメッセージが搬送されるＰＤＳＣＨのスケジューリング情報のビットフィールドが存在し、前記ビットフィールドがスケジューリング情報を示さない
ことを特徴とする請求項２９に記載の情報伝送方法。
【請求項３１】
前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する
ことを特徴とする請求項２９に記載の情報伝送方法。
【請求項３２】
前記第３の指示ビットが１つのビットを占用する
ことを特徴とする請求項２９〜３１のいずれか１項に記載の情報伝送方法。
【請求項３３】
通信ユニットと、処理ユニットとを備える端末デバイスであって、
前記通信ユニットは、ページングメッセージをスケジューリングする下り制御情報を受信するように構成され、前記下り制御情報が第１の指示情報を含み、前記第１の指示情報が前記下り制御情報に含まれる制御情報のタイプを示し、
前記処理ユニットは、前記第１の指示情報に基づいて、前記下り制御情報に含まれる制御情報のタイプを決定するように構成される
ことを特徴とする端末デバイス。
【請求項３４】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ  １５の端末デバイスに対する予約情報のうちの少なくとも１つのを含む
ことを特徴とする請求項３３に記載の端末デバイス。
【請求項３５】
前記ショートメッセージは、システムメッセージ更新の指示、コマーシャルアラート指示及び津波地震アラートの指示のうちの少なくとも１つを含む
ことを特徴とする請求項３４に記載の端末デバイス。
【請求項３６】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １５の端末デバイスに対する予約情報であることを示す
ことを特徴とする請求項３４又は３５に記載の端末デバイス。
【請求項３７】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む
ことを特徴とする請求項３３に記載の端末デバイス。
【請求項３８】
前記ショートメッセージは、システムメッセージ更新の指示、コマーシャルアラート指示及び津波地震アラートの指示のうちの少なくとも１つを含む
ことを特徴とする請求項３７に記載の端末デバイス。
【請求項３９】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １６又は後続のリリースの拡張ページングメカニズムの下り制御情報であることを示す
ことを特徴とする請求項３７又は３８に記載の端末デバイス。
【請求項４０】
前記第１の指示ビットが２つのビットを占用する
ことを特徴とする請求項３６又は３９に記載の端末デバイス。
【請求項４１】
前記第１の指示ビットが前記第４のビットである場合、前記下り制御情報に含まれる制御情報のタイプは、さらに、
Ｒｅｌ  １６又は後続のリリースにおけるページングメッセージが搬送されるＰＤＳＣＨのスケジューリング情報、Ｒｅｌ  １６又は後続のリリースにおけるショートメッセージ、Ｒｅｌ  １６又は後続のリリースにおけるページングメッセージが搬送されるＰＤＳＣＨのスケジューリング情報及びショートメッセージを含む
ことを特徴とする請求項３６、３９又は４０に記載の端末デバイス。
【請求項４２】
前記第１の指示情報が第２の指示ビットを含み、前記第２の指示ビットは、Ｒｅｌ  １６又は後続のリリースにおけるページングメッセージが搬送されるＰＤＳＣＨのスケジューリング情報を示し、又は、Ｒｅｌ  １６又は後続のリリースにおけるショートメッセージを示し、又は、Ｒｅｌ  １６又は後続のリリースにおけるページングメッセージが搬送されるＰＤＳＣＨのスケジューリング情報及びショートメッセージを示す
ことを特徴とする請求項４１に記載の端末デバイス。
【請求項４３】
前記第１の指示ビットが前記第４のビットであり、前記第２の指示ビットが第５のビットである場合、前記第１の指示情報は、前記下り制御情報に含まれる制御情報のタイプがＲｅｌ  １６又は後続のリリースにおけるページングメッセージが搬送されるＰＤＳＣＨのスケジューリング情報であることを示し、又は、
前記第１の指示ビットが前記第４のビットであり、前記第２の指示ビットが第６のビットである場合、前記第１の指示情報は、前記下り制御情報に含まれる制御情報のタイプがＲｅｌ  １６又は後続のリリースにおけるショートメッセージであることを示し、又は、
前記第１の指示ビットが前記第４のビットであり、前記第２の指示ビットが第７のビットである場合、前記第１の指示情報は、前記下り制御情報に含まれる制御情報のタイプがＲｅｌ  １６又は後続のリリースにおけるページングメッセージが搬送されるＰＤＳＣＨのスケジューリング情報及びショートメッセージであることを示す
ことを特徴とする請求項４２に記載の端末デバイス。
【請求項４４】
前記第２の指示ビットが２つのビットを占用する
ことを特徴とする請求項４２又は４３に記載の端末デバイス。
【請求項４５】
前記第１の指示情報が第３の指示ビットを含み、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す
ことを特徴とする請求項３４、３５、３７又は３８に記載の端末デバイス。
【請求項４６】
前記第３の指示ビットが前記第９のビットである場合、ページングメッセージが搬送されるＰＤＳＣＨのスケジューリング情報のビットフィールドが存在し、前記ビットフィールドがスケジューリング情報を示さない
ことを特徴とする請求項４５に記載の端末デバイス。
【請求項４７】
前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する
ことを特徴とする請求項４５に記載の端末デバイス。
【請求項４８】
前記第３の指示ビットが１つのビットを占用する
ことを特徴とする請求項４５〜４７のいずれか１項に記載の端末デバイス。
【請求項４９】
通信ユニットを備えるネットワークデバイスであって、
前記通信ユニットは、ページングメッセージをスケジューリングする下り制御情報を端末デバイスに送信するように構成され、前記下り制御情報が第１の指示情報を含み、前記第１の指示情報は、前記端末デバイスが前記下り制御情報に含まれる制御情報のタイプを決定するために用いられる
ことを特徴とするネットワークデバイス。
【請求項５０】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ  １５の端末デバイスに対する予約情報のうちの少なくとも１つのを含む
ことを特徴とする請求項４９に記載のネットワークデバイス。
【請求項５１】
前記ショートメッセージは、システムメッセージ更新の指示、コマーシャルアラート指示及び津波地震アラートの指示のうちの少なくとも１つを含む
ことを特徴とする請求項５０に記載のネットワークデバイス。
【請求項５２】
前記第１の指示情報が第１の指示ビットを含み、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ  １５の端末デバイスに対する予約情報であることを示す
ことを特徴とする請求項５０又は５１に記載のネットワークデバイス。
【請求項５３】
前記下り制御情報に含まれる制御情報のタイプは、
ページングメッセージが搬送される物理下り共有チャネルＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む
ことを特徴とする請求項４９に記載のネットワークデバイス。
【請求項５４】
前記ショートメッセージは、システムメッセージ更新の指示、コマーシャルアラート指示及び津波地震アラートの指示のうちの少なくとも１つを含む
ことを特徴とする請求項５３に記載のネットワークデバイス。
【請求項５５】
前記第１の指示情報が第１の指示ビットを含み、
前記第１の指示ビットが第１のビットである場合、前記第１の指示情報は、前記端末デバイスが前記下り制御情報に含まれる制御情報のタイプをページングメッセージが搬送されるＰＤＳＣＨのスケジューリング情報として決定するように指示し、又は、
前記第１の指示ビットが第２のビットである場合、前記第１の指示情報は、前記端末デバイスが前記下り制御情報に含まれる制御情報のタイプをショートメッセージとして決定するように指示し、又は、
前記第１の指示ビットが第３のビットである場合、前記第１の指示情報は、前記端末デバイスが前記下り制御情報に含まれる制御情報のタイプをページングメッセージが搬送されるＰＤＳＣＨのスケジューリング情報及びショートメッセージとして決定するように指示し、又は、
前記第１の指示ビットが第４のビットである場合、前記第１の指示情報は、前記端末デバイスが前記下り制御情報に含まれる制御情報のタイプをリリースＲｅｌ１６または後続のリリースの拡張ページングメカニズムにおける下り制御情報として決定するように指示する
ことを特徴とする請求項５３又は５４に記載のネットワークデバイス。
【請求項５６】
前記第１の指示ビットが２つのビットを占用する
ことを特徴とする請求項５２又は５５に記載のネットワークデバイス。
【請求項５７】
前記第１の指示ビットが前記第４のビットである場合、前記下り制御情報に含まれる制御情報のタイプは、さらに、
Ｒｅｌ  １６又は後続のリリースにおけるページングメッセージが搬送されるＰＤＳＣＨのスケジューリング情報、Ｒｅｌ  １６又は後続のリリースにおけるショートメッセージ、Ｒｅｌ  １６又は後続のリリースにおけるページングメッセージが搬送されるＰＤＳＣＨのスケジューリング情報及びショートメッセージを含む
ことを特徴とする請求項５２、５５又は５６に記載のネットワークデバイス。
【請求項５８】
前記第１の指示情報が第２の指示ビットを含み、前記第２の指示ビットは、Ｒｅｌ  １６又は後続のリリースにおけるページングメッセージが搬送されるＰＤＳＣＨのスケジューリング情報を示し、又は、Ｒｅｌ  １６又は後続のリリースにおけるショートメッセージを示し、又は、Ｒｅｌ  １６又は後続のリリースにおけるページングメッセージが搬送されるＰＤＳＣＨのスケジューリング情報及びショートメッセージを示す
ことを特徴とする請求項５７に記載のネットワークデバイス。
【請求項５９】
前記第１の指示ビットが前記第４のビット、前記第２の指示ビットが第５のビットである場合、前記第１の指示情報は、前記端末デバイスが前記下り制御情報に含まれる制御情報のタイプをＲｅｌ  １６又は後続のリリースにおけるページングメッセージが搬送されるＰＤＳＣＨのスケジューリング情報として決定するように指示し、又は、
前記第１の指示ビットが前記第４のビット、前記第２の指示ビットが第６のビットである場合、前記第１の指示情報は、前記端末デバイスが前記下り制御情報に含まれる制御情報のタイプをＲｅｌ  １６又は後続のリリースにおけるショートメッセージとして決定するように指示し、又は、
前記第１の指示ビットが前記第４のビット、前記第２の指示ビットが第７のビットである場合、前記第１の指示情報は、前記端末デバイスが前記下り制御情報に含まれる制御情報のタイプをＲｅｌ  １６又は後続のリリースにおけるページングメッセージが搬送されるＰＤＳＣＨのスケジューリング情報及びショートメッセージとして決定するように指示する
ことを特徴とする請求項５８に記載のネットワークデバイス。
【請求項６０】
前記第２の指示ビットが２つのビットを占用する
ことを特徴とする請求項５８又は５９に記載のネットワークデバイス。
【請求項６１】
前記第１の指示情報が第３の指示ビットを含み、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す
ことを特徴とする請求項５０、５１、５３又は５４に記載のネットワークデバイス。
【請求項６２】
前記第３の指示ビットが前記第９のビットである場合、ページングメッセージが搬送されるＰＤＳＣＨのスケジューリング情報のビットフィールドが存在し、前記ビットフィールドがスケジューリング情報を示さない
ことを特徴とする請求項６１に記載のネットワークデバイス。
【請求項６３】
前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する
ことを特徴とする請求項６１に記載のネットワークデバイス。
【請求項６４】
前記第３の指示ビットが１つのビットを占用する
ことを特徴とする請求項６１〜６３のいずれか１項に記載のネットワークデバイス。
【請求項６５】
コマンドを記憶するメモリと、前記メモリと通信インタフェースとに接続され、前記コマンドを実行するプロセッサと、前記プロセッサの制御の下に他のネットワークと通信を行う通信インタフェースとを備え、
前記プロセッサは、前記メモリに記憶されたコマンドを実行することにより、請求項１〜３２のいずれか１項に記載の情報伝送方法を前記プロセッサに実行させる
ことを特徴とする通信デバイス。
【請求項６６】
請求項１〜３２のいずれかに記載の情報伝送方法をコンピュータに実行させるコンピュータプログラムを記憶する
ことを特徴とする記憶媒体。
【請求項６７】
コンピュータプログラムをメモリから読み出して実行して、請求項１〜３２のいずれか１項に記載の情報伝送方法を、チップが搭載された装置に実行させるプロセッサを有する
ことを特徴とするチップ。
【請求項６８】
端末デバイスとネットワークデバイスを備える無線通信システムであって、
前記端末デバイスは、ページングメッセージをスケジューリングする下り制御情報を受信し、前記第１の指示情報に基づいて、前記下り制御情報に含まれる制御情報のタイプを決定するように構成され、前記下り制御情報が第１の指示情報を含み、前記第１の指示情報が前記下り制御情報に含まれる制御情報のタイプを示し、
前記ネットワークデバイスは、ページングメッセージをスケジューリングする下り制御情報を端末デバイスに送信するように構成され、前記下り制御情報が第１の指示情報を含み、前記第１の指示情報は、前記端末デバイスが前記下り制御情報に含まれる制御情報のタイプを決定するために用いられる
ことを特徴とする無線通信システム。
【発明の詳細な説明】
【関連出願の相互参照】
【０００１】
本願は、２０１８年５月１８日に中国特許庁に出願され、出願番号２０１８１０４８３３５２.５、出願名「情報伝送方法、端末デバイス及びネットワークデバイス」に係る中国特許出願の優先権と、２０１８年５月２１日に中国特許庁に出願され、出願番号２０１８１０４８８６８４.２、出願名「情報伝送方法、端末デバイス及びネットワークデバイス」に係る中国特許出願の優先権とを主張し、その全体は、本願に参照により組み込まれる。
【技術分野】
【０００２】
本発明の実施例は、通信分野に関し、特に、情報伝送方法、端末デバイス及びネットワークデバイスに関する。
【背景技術】
【０００３】
新しいラジオ( Ｎｅｗ Ｒａｄｉｏ、ＮＲ )システムにおいて、ページング（ｐａｇｉｎｇ）メッセージをスケジューリングしてサポートする物理下り制御チャネル( Ｐｈｙｓｉｃａｌ Ｄｏｗｎｌｉｎｋ Ｃｏｎｔｒｏｌ Ｃｈａｎｎｅｌ、ＰＤＣＣＨ )によって搬送される下り制御情報( Ｄｏｗｎｌｉｎｋ Ｃｏｎｔｒｏｌ Ｉｎｆｏｒｍａｔｉｏｎ、ＤＣＩ )は、通常のスケジューリング情報に加えて、システムメッセージ更新の指示( ｓｙｓｔｅｍＩｎｆｏＭｏｄｉｆｉｃａｔｉｏｎ )、コマーシャルアラート指示( ｃｍａｓ−Ｉｎｄｉｃａｔｉｏｎ )、および地震津波アラートの指示( ｅｔｗｓ−Ｉｎｄｉｃａｔｉｏｎ )などのメッセージであり得るショートメッセージを搬送することができる。このページングメッセージをスケジューリングするＤＣＩは、スケジューリング情報のみが搬送され、ここで、ショートメッセージがページングメッセージを搬送する物理下り共有チャネル( ＰｈｙＳｉｃａｌ Ｄｏｗｎｌｉｎｋ Ｓｈａｒｅｄ Ｃｈａｎｎｅｌ、ＰＤＳＣＨ )に搬送され、または、上記ショートメッセージが搬送される。しかしながら、ページングメッセージのスケジューリングされたＤＣＩが上記のいずれであるかを端末デバイスにどのように区別させるかが解決すべき課題である。
【発明の概要】
【０００４】
本発明の実施例は、異なる下り制御情報のタイプを状況に応じて使用するとともに、全体の指示オーバーヘッドを効率的に抑えることができる情報伝送方法、端末デバイス及びネットワークデバイスを提供する。
【０００５】
第１の態様は、情報伝送方法を提供し、
端末デバイスがページングメッセージをスケジューリングする下り制御情報を受信することと、
前記端末デバイスが前記第１の指示情報に基づいて、前記下り制御情報に含まれる制御情報のタイプを決定することとを含み、前記下り制御情報が第１の指示情報を含み、前記第１の指示情報が前記下り制御情報に含まれる制御情報のタイプを示す。
【０００６】
そして、本願の実施例において、ページングメッセージをスケジューリングする下り制御情報内の第１の指示情報が下り制御情報に含まれる制御情報のタイプを示し、さらに、端末デバイスが下り制御情報に含まれる制御情報のタイプを決定することができる。
【０００７】
そして、ネットワークデバイスは、異なる下り制御情報のタイプを状況に応じて使用するとともに、全体の指示オーバーヘッドを効率的に抑えることができる。
【０００８】
任意選択で、端末デバイスは、無線リソース制御( Ｒａｄｉｏ ＲｅＳｏｕｒｃｅ Ｃｏｎｔｒｏｌ、ＲＲＣ )アイドル状態( ｉｄｌｅ )にあってもよく、ＲＲＣ接続状態にあってもよい。
【０００９】
いくつかの実現可能な形態において、前記下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ １５に対する端末デバイスの予定情報のうちの少なくとも１つを含む。
【００１０】
いくつかの実現可能な形態において、前記第１の指示情報が第１の指示ビットを含み、ここで、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ １５の端末デバイスに対する予約情報であることを示す。
【００１１】
いくつかの実現可能な形態において、前記下り制御情報に含まれる制御情報のタイプは、
ページングメッセージが搬送される物理下り共有チャネル（ＰｈｙＳｉｃａｌ Ｄｏｗｎｌｉｎｋ Ｓｈａｒｅｄ Ｃｈａｎｎｅｌ、ＰＤＳＣＨ）のスケジューリング情報、ショートメッセージ、ページングメッセージが搬送されるＰＤＳＣＨのスケジューリング情報及びショートメッセージ、リリース（Ｒｅｌｅａｓｅ、Ｒｅｌ）１６または後続のリリースの拡張ページングメカニズムの下り制御情報のうちの少なくとも１つを含む。
【００１２】
なお、Ｒｅｌ−１６及び後続のリリースではページング（ｐａｇｉｎｇ）メッセージの伝送がさらに強化され、ページング（ｐａｇｉｎｇ）メッセージをスケジューリングするＤＣＩが変化する可能性がある。
【００１３】
いくつかの実現可能な形態において、前記ショートメッセージは、システムメッセージ更新の指示（ｓｙｓｔｅｍＩｎｆｏＭｏｄｉｆｉｃａｔｉｏｎ）、コマーシャルアラート指示（ｃｍａｓ−Ｉｎｄｉｃａｔｉｏｎ）及び津波地震アラートの指示（ｅｔｗｓ−Ｉｎｄｉｃａｔｉｏｎ）のうちの少なくとも１つを含む。
【００１４】
いくつかの実現可能な形態において、前記下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【００１５】
なお、該下り制御情報に含まれる制御情報のタイプがページングメッセージが搬送されるＰＤＳＣＨのスケジューリング情報、又は、ショートメッセージ、又は、ページングメッセージが搬送されるＰＤＳＣＨのスケジューリング情報及びショートメッセージである場合、Ｒｅｌ １５におけるページングメッセージが搬送されるＰＤＳＣＨのスケジューリング情報、ショートメッセージ、ページングメッセージが搬送されるＰＤＳＣＨのスケジューリング情報及びショートメッセージであると理解されてもよい。
【００１６】
いくつかの実現可能な形態において、前記第１の指示情報が第１の指示ビットを含み、ここで、
前記第１の指示ビットが第１のビットである場合、前記第１の指示情報は、前記下り制御情報に含まれる制御情報のタイプがページングメッセージが搬送されるＰＤＳＣＨのスケジューリング情報であることを示し、又は、
前記第１の指示ビットが第２のビットである場合、前記第１の指示情報は、前記下り制御情報に含まれる制御情報のタイプがショートメッセージであることを示し、又は、
前記第１の指示ビットが第３のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第１の指示ビットが第４のビットである場合、前記第１の指示情報は、前記下り制御情報に含まれる制御情報のタイプがＲｅｌ １６又は後続のリリースの拡張ページングメカニズムの下り制御情報であることを示す。
【００１７】
いくつかの実現可能な形態において、前記第１の指示ビットが２つのビットを占用する。
【００１８】
そして、本願の実施例では、ページングメッセージをスケジューリングする下り制御情報のうち２ビットだけを用いて、Ｒｅｌ―１５の下の３つのＤＣＩのタイプがＲｅｌ―１６または後続リリースの拡張ｐａｇｉｎｇの下り制御情報であるか否かを示すことができ、ネットワークデバイスは、異なる場合に応じて異なる下り制御情報のタイプを使い分けるとともに、全体的な指示オーバーヘッドも効果的に制御する。
【００１９】
いくつかの実現可能な形態において、前記第１の指示ビットが前記第４のビットである場合、前記下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【００２０】
いくつかの実現可能な形態において、前記第１の指示情報が第２の指示ビットを含み、ここで、前記第２の指示ビットは、Ｒｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【００２１】
いくつかの実現可能な形態において、
前記第１の指示ビットが前記第４のビットであり、前記第２の指示ビットが第５のビットである場合、前記第１の指示情報は、前記下り制御情報に含まれる制御情報のタイプがＲｅｌ １６又は後続のリリースにおけるページングメッセージが搬送されるＰＤＳＣＨのスケジューリング情報であることを示し、又は、
前記第１の指示ビットが前記第４のビットであり、前記第２の指示ビットが第６のビットである場合、前記第１の指示情報は、前記下り制御情報に含まれる制御情報のタイプがＲｅｌ １６又は後続のリリースにおけるショートメッセージであることを示し、又は、
前記第１の指示ビットが前記第４のビットであり、前記第２の指示ビットが第７のビットである場合、前記第１の指示情報は、前記下り制御情報に含まれる制御情報のタイプがＲｅｌ １６又は後続のリリースにおけるページングメッセージが搬送されるＰＤＳＣＨのスケジューリング情報及びショートメッセージであることを示す。
【００２２】
いくつかの実現可能な形態において、前記第２の指示ビットが２つのビットを占用する。
【００２３】
そして、本願の実施例において、第１の指示ビットが第４のビットである場合、さらに、ページングメッセージをスケジューリングする下り制御情報内の第２の指示ビット（２つのビット）を利用してＲｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【００２４】
いくつかの実現可能な形態において、前記第１の指示情報が第３の指示ビットを含み、ここで、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す。
【００２５】
いくつかの実現可能な形態において、前記第３の指示ビットが前記第９のビットである場合、ページングメッセージが搬送されるＰＤＳＣＨのスケジューリング情報のビットフィールドが存在し、前記ビットフィールドがスケジューリング情報を示さない。
【００２６】
いくつかの実現可能な形態において、前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する。
【００２７】
いくつかの実現可能な形態において、前記第３の指示ビットが１つのビットを占用する。
【００２８】
第２の態様は、情報伝送方法を提供し、 
ネットワークデバイスがページングメッセージをスケジューリングする下り制御情報を端末デバイスに送信することを含み、前記下り制御情報が第１の指示情報を含み、前記第１の指示情報は、前記端末デバイスが前記下り制御情報に含まれる制御情報のタイプを決定するために用いられる。
【００２９】
そして、本願の実施例では、ページングメッセージをスケジューリングする下り制御情報における第１の指示情報は、下り制御情報に含まれる制御情報のタイプを示すことができ、これにより、ネットワークデバイスは、状況に応じて異なる下り制御情報のタイプを使い分けることができるとともに、全体の指示オーバーヘッドも効果的に制御することができる。
【００３０】
任意選択で、このネットワークデバイスは、アクセスネットワークデバイスであってもよいし、コアネットワークデバイスであってもよい。
【００３１】
いくつかの実現可能な形態において、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ １５に対する端末デバイスの予定情報のうちの少なくとも１つを含む。
【００３２】
いくつかの実現可能な形態において、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがＲｅｌ １５に対する端末デバイスの予定情報であることを示す。
【００３３】
いくつかの実現可能な形態において、前記下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む。
【００３４】
いくつかの実現可能な形態において、前記ショートメッセージは、システムメッセージ更新の指示、コマーシャルアラート指示及び津波地震アラートの指示のうちの少なくとも１つを含む。
【００３５】
いくつかの実現可能な形態において、前記第１の指示情報が第１の指示ビットを含み、ここで、
前記第１の指示ビットが第１のビットである場合、前記第１の指示情報は、前記端末デバイスが前記下り制御情報に含まれる制御情報のタイプをページングメッセージが搬送されるＰＤＳＣＨのスケジューリング情報として決定するように指示し、又は、
前記第１の指示ビットが第２のビットである場合、前記第１の指示情報は、前記端末デバイスが前記下り制御情報に含まれる制御情報のタイプをショートメッセージとして決定するように指示し、又は、
前記第１の指示ビットが第３のビットである場合、前記第１の指示情報は、前記端末デバイスが前記下り制御情報に含まれる制御情報のタイプをページングメッセージが搬送されるＰＤＳＣＨのスケジューリング情報及びショートメッセージとして決定するように指示し、又は、
前記第１の指示ビットが第４のビットである場合、前記第１の指示情報は、前記端末デバイスが前記下り制御情報に含まれる制御情報のタイプをリリースＲｅｌ１６または後続のリリースの拡張ページングメカニズムにおける下り制御情報として決定するように指示する。
【００３６】
いくつかの実現可能な形態において、前記第１の指示ビットが２つのビットを占用する。
【００３７】
そして、本願の実施例では、ページングメッセージをスケジューリングする下り制御情報のうち２ビットだけを用いて、Ｒｅｌ―１５の下の３つのＤＣＩのタイプがＲｅｌ―１６または後続リリースの拡張ｐａｇｉｎｇの下り制御情報であるか否かを示すことができ、ネットワークデバイスは、異なる場合に応じて異なる下り制御情報のタイプを使い分けるとともに、全体的な指示オーバーヘッドも効果的に制御する。
【００３８】
いくつかの実現可能な形態において、前記第１の指示ビットが前記第４のビットである場合、前記下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【００３９】
いくつかの実現可能な形態において、前記第１の指示情報が第２の指示ビットを含み、ここで、前記第２の指示ビットは、Ｒｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【００４０】
いくつかの実現可能な形態において、
前記第１の指示ビットが前記第４のビット、前記第２の指示ビットが第５のビットである場合、前記第１の指示情報は、前記端末デバイスが前記下り制御情報に含まれる制御情報のタイプをＲｅｌ １６又は後続のリリースにおけるページングメッセージが搬送されるＰＤＳＣＨのスケジューリング情報として決定するように指示し、又は、
前記第１の指示ビットが前記第４のビット、前記第２の指示ビットが第６のビットである場合、前記第１の指示情報は、前記端末デバイスが前記下り制御情報に含まれる制御情報のタイプをＲｅｌ １６又は後続のリリースにおけるショートメッセージとして決定するように指示し、又は、
前記第１の指示ビットが前記第４のビット、前記第２の指示ビットが第７のビットである場合、前記第１の指示情報は、前記端末デバイスが前記下り制御情報に含まれる制御情報のタイプをＲｅｌ １６又は後続のリリースにおけるページングメッセージが搬送されるＰＤＳＣＨのスケジューリング情報及びショートメッセージとして決定するように指示する。
【００４１】
いくつかの実現可能な形態において、前記第２の指示ビットが２つのビットを占用する。
【００４２】
そして、本願の実施例において、第１の指示ビットが第４のビットである場合、さらに、ページングメッセージをスケジューリングする下り制御情報内の第２の指示ビット（２つのビット）を利用して、Ｒｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【００４３】
いくつかの実現可能な形態において、前記第１の指示情報が第３の指示ビットを含み、ここで、
前記第３の指示ビットが第８のビットである場合、前記第１の指示情報は、前記下り制御情報に含まれる制御情報のタイプがページングメッセージが搬送されるＰＤＳＣＨのスケジューリング情報及びショートメッセージであることを示し、又は、
前記第３の指示ビットが第９のビットである場合、前記第１の指示情報は、前記下り制御情報に含まれる制御情報のタイプがショートメッセージであることを示す。
【００４４】
いくつかの実現可能な形態において、前記第３の指示ビットが前記第９のビットである場合、ページングメッセージが搬送されるＰＤＳＣＨのスケジューリング情報のビットフィールドが存在し、前記ビットフィールドがスケジューリング情報を示さない。
【００４５】
いくつかの実現可能な形態において、前記第３の指示ビットが前記第９のビットである場合、ページングメッセージが搬送されるＰＤＳＣＨのスケジューリング情報のビットフィールドが存在しなく、ショートメッセージが搬送されるビットフィールドは、前記下り制御情報おいてショートメッセージに対する位置又はページングメッセージが搬送されるＰＤＳＣＨのスケジューリング情報に対する位置に位置する。
【００４６】
いくつかの実現可能な形態において、前記第３の指示ビットが１つのビットを占用する。
【００４７】
第３の態様は、上記第１の態様またはその様々な実装形態における方法を実行するための端末デバイスを提供する。
【００４８】
具体的には、この端末デバイスは、上記の第１の態様またはその様々な実装形態における方法を実行するための機能モジュールを含む。
【００４９】
第４の態様は、上記第２の態様またはその様々な実装形態における方法を実行するためのネットワークデバイスを提供する。
【００５０】
具体的には、このネットワークデバイスは、上記の第２の態様またはその様々な実装形態における方法を実行するための機能モジュールを含む。
【００５１】
第５の態様は、プロセッサとメモリとを含む端末デバイスを提供する。このメモリは、コンピュータプログラムを記憶するためのものであり、このプロセッサは、このメモリに記憶されたコンピュータプログラムを呼び出して実行し、上記第１の態様またはその各実施例における方法を実行するためのものである。
【００５２】
第６の態様は、プロセッサとメモリとを含むネットワークデバイスを提供する。このメモリは、コンピュータプログラムを記憶するためのものであり、このプロセッサは、このメモリに記憶されたコンピュータプログラムを呼び出して実行し、上記第２の態様またはその各実施例における方法を実行するためのものである。
【００５３】
第７の態様は、上記の第１の態様から第２の態様のいずれかまたはその様々な実装における方法を実装するためのチップを提供する。
【００５４】
具体的には、チップは、コンピュータプログラムをメモリから呼び出して実行し、チップが搭載された装置に、上記の第１の態様から第２の態様のいずれか１つまたはその各実装態様に従う方法を実行させるプロセッサを含む。
【００５５】
第８の態様は、コンピュータに、上記の第１の態様から第２の態様のいずれか１つまたはその各実装形態における方法を実行させるコンピュータプログラムを記憶するためのコンピュータ可読記憶媒体を提供する。
【００５６】
第９の態様は、コンピュータに、上記の第１の態様から第２の態様のいずれか１つまたはその様々な実装形態における方法を実行させるコンピュータプログラム命令を含むコンピュータプログラム製品を提供する。
【００５７】
第１０の態様は、コンピュータ上で実行されると、コンピュータに、上記の第１の態様から第２の態様のいずれか１つまたはその様々な実装形態における方法を実行させるコンピュータプログラムを提供する。
【００５８】
第１１の態様は、無線通信システムを提供し、端末デバイス及びネットワークデバイスを備え、ここで、
前記端末デバイスは、ページングメッセージをスケジューリングする下り制御情報を受信し、前記下り制御情報が第１の指示情報を含み、前記第１の指示情報が前記下り制御情報に含まれる制御情報のタイプを示し、前記第１の指示情報に基づいて、前記下り制御情報に含まれる制御情報のタイプを決定し、
前記ネットワークデバイスは、ページングメッセージをスケジューリングする下り制御情報を端末デバイスに送信するように構成され、前記下り制御情報が第１の指示情報を含み、前記第１の指示情報は、前記端末デバイスが前記下り制御情報に含まれる制御情報のタイプを決定するために用いられる。
【００５９】
具体的に、該端末デバイスは、上記の第１の態様又はその各実装態様の方法を実行し、該ネットワークデバイスは、第２の態様又はその各実装態様の方法を実行する。
【図面の簡単な説明】
【００６０】
【図１】本願の実施例における応用シーンの模式図である。
【図２】本願の実施例における情報伝送方法のフローチャートである。
【図３】本願の他の実施例における情報伝送方法のフローチャートである。
【図４】本願の実施例における端末デバイスのブロック図である。
【図５】本願の実施例におけるネットワークデバイスのブロック図である。
【図６】本願の実施例における通信デバイスのブロック図である。
【図７】本願の実施例におけるチップのブロック図である。
【図８】本願の実施例における無線通信システムのブロック図である。
【発明を実施するための形態】
【００６１】
以下、本発明の実施の形態について図面を参照して説明する。
【００６２】
本発明は、様々な通信システムに適用することができ、例えば、Ｇｌｏｂａｌ Ｓｙｓｔｅｍ ｏｆ Ｍｏｂｉｌｅ Ｃｏｍｍｕｎｉｃａｔｉｏｎ （ ＧＳＭ )システム、Ｃｏｄｅ Ｄｉｖｉｓｉｏｎ Ｍｕｌｔｉｐｌｅ Ａｃｃｅｓｓ （ ＣＤＭＡ )システム、Ｗｉｄｅｂａｎｄ Ｃｏｄｅ Ｄｉｖｉｓｉｏｎ Ｍｕｌｔｉｐｌｅ Ａｃｃｅｓｓ （ ＷＣＤＭＡ )システム、Ｇｅｎｅｒａｌ  Ｐａｃｋｅｔ  Ｒａｄｉｏ  Ｓｅｒｖｉｃｅ  （  ＧＰＲＳ )、Ｌｏｎｇ Ｔｅｒｍ Ｅｖｏｌｕｔｉｏｎ （ ＬＴＥ )システム、Ａｄｖａｎｃｅｄ ｌｏｎｇ ｔｅｒｍ ｅｖｏｌｕｔｉｏｎ （ ＬＴＥ−Ａ )システム、Ｎｅｗ Ｒａｄｉｏ （ ＮＲ )システム、ＮＲシステムのエボリューションシステム、ＬＴＥ （ ＬＴＥ−ｂａｓｅｄ ａｃｃｅｓｓ ｔｏ ｕｎｌｉｃｅｎｓｅｄ ｓｐｅｃｔｒｕｍ、ＬＴＥ−Ｕ )システム、ＮＲ （ ＮＲ−ｂａｓｅｄ ａｃｃｅｓｓ ｔｏ ｕｎｌｉｃｅｎｓｅｄ ｓｐｅｃｔｒｕｍ、ＮＲ−Ｕ )システム、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )、Ｗｉｒｅｌｅｓｓ Ｌｏｃａｌ Ａｒｅａ Ｎｅｔｗｏｒｋｓ （ ＷＬＡＮ )、Ｗｉｒｅｌｅｓｓ Ｆｉｄｅｌｉｔｙ （ ＷｉＦｉ )、次世代通信システム、又は他の通信システム等である。
【００６３】
従来の通信システムがサポートする接続数は限られており、実現も容易であるが、通信技術の発展に伴い、移動通信システムは従来の通信だけでなく、例えば、デバイス-デバイス( Ｄｅｖｉｃｅ ｔｏ Ｄｅｖｉｃｅ、Ｄ２Ｄ )通信、マシン-マシン( Ｍａｃｈｉｎｅ ｔｏ Ｍａｃｈｉｎｅ、Ｍ２Ｍ )通信、マシン型通信( Ｍａｃｈｉｎｅ Ｔｙｐｅ Ｃｏｍｍｕｎｉｃａｔｉｏｎ、ＭＴＣ )、車車間通信( Ｖｅｈｉｃｌｅ ｔｏ Ｖｅｈｉｃｌｅ、Ｖ２Ｖ )などをサポートし、本願実施例はこれらの通信システムにも適用可能である。
【００６４】
任意選択で、本願の実施例における通信システムは、キャリアアグリゲーション( Ｃａｒｒｉｅｒ Ａｇｇｒｅｇａｔｉｏｎ、ＣＡ )シーンに適用されてもよく、デュアルコネクティビティ( Ｄｕａｌ Ｃｏｎｎｅｃｔｉｖｉｔｙ、ＤＣ )シーンに適用されてもよく、スタンドアロン( Ｓｔａｎｄａｌｏｎｅ、ＳＡ )ネットワーキングシナリオに適用されてもよい。
【００６５】
本願実施例が適用する周波数スペクトルは限定されない。例えば、本発明の実施例は、認可スペクトルにも認可無しスペクトルにも適用され得る。
【００６６】
本発明の実施例は、ネットワークデバイス及び端末デバイスに関連して様々な実施例を説明し、端末デバイスは、ユーザ装置( Ｕｓｅｒ Ｅｑｕｉｐｍｅｎｔ、ＵＥ )、アクセス端末、ユーザ装置、ユーザ局、移動局、リモート端末、モバイル装置、ユーザ端末、無線通信デバイス、ユーザエージェント又はユーザ装置などと呼ばれることもある。端末デバイスは、ＷＬＡＮ内のサイト( ＳＴＡＩＯＮ、ＳＴ )であってもよく、セルラー電話、コードレス電話、セッションイネーブルプロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ ）局、パーソナルデジタル処理（ Ｐｅｒｓｏｎａｌ Ｄｉｇｉｔａｌ Ａｓｓｉｓｔａｎｔ、ＰＤＡ )装置、ワイヤレス通信機能を有するハンドヘルドデバイス、コンピューティングデバイス、またはワイヤレスモデムに接続された他の処理装置、車載装置、ウェアラブルデバイス、および次世代通信システム、例えばＮＲネットワーク内の端末デバイスまたは将来進化するパブリック地上波モバイルネットワーク( Ｐｕｂｌｉｃ Ｌａｎｄ Ｍｏｂｉｌｅ Ｎｅｔｗｏｒｋ、ＰＬＭＮ )ネットワーク内の端末デバイスなどであってもよい。
【００６７】
限定ではなく例として、本願実施例では、当該端末デバイスは、ウェアラブル装置であってもよい。ウェアラブルデバイスは、ウェアラブルスマートデバイスとも呼ばれ、眼鏡、手袋、腕時計、衣類、及び靴などのウェアラブル技術を応用して日常の着用を知的に設計し、ウェアラブルなデバイスを開発する総称である。ウェアラブルデバイスは、直接身に着けるか、またはユーザの衣服またはアクセサリに一体化されたポータブルデバイスである。ウェアラブルデバイスは、ハードウェアデバイスの一種だけではなく、ソフトウェアサポートとデータ相互作用、クラウド相互作用によって、より強力な機能を実現する。広義のウェアラブルスマートデバイスは、スマートウォッチやスマートグラスなどの機能の全部または一部をスマートフォンに依存せずに実現することができる、大きく、かつ、スマートフォンに依存せずに実現することができる機能、および、例えば、様々な種類の身体監視のためにスマートフォンなどの他のデバイスとの協働を必要とする、ある種のアプリケーション機能にのみ焦点を当てるスマートリング、スマートアクセサリなどを含む。
【００６８】
ネットワークデバイスは、モバイルデバイスと通信するためのデバイスであってよく、ネットワークデバイスは、ＷＬＡＮにおけるアクセスポイント( Ａｃｃｅｓｓ Ｐｏｉｎｔ、ＡＰ )、ＧＳＭまたはＣＤＭＡにおける基地局( Ｂａｓｅ Ｔｒａｎｓｃｅｉｖｅｒ Ｓｔａｔｉｏｎ、ＢＴＳ )、ＷＣＤＭＡにおける基地局( ＮｏｄｅＢ、ＮＢ )であってよく、ＬＴＥにおける発展型基地局( Ｅｖｏｌｕｔｉｏｎａｌ Ｎｏｄｅ Ｂ、ｅＮＢ又はｅＮｏｄｅＢ )、中継局またはアクセスポイント、または車載デバイス、ウェアラブルデバイス、およびＮＲネットワークにおけるネットワークデバイス( ｇＮＢ )、または将来発展するＰＬＭＮネットワークにおけるネットワークデバイスなどであってよい。
【００６９】
本発明の実施例において、ネットワークデバイスは、端末デバイスが使用する送信リソース(例えば、周波数領域リソース、又は、スペクトルリソース)を用いてネットワークデバイスと通信するセルを提供し、セルは、ネットワークデバイス(例えば、基地局)に対応するセルであってよく、セルは、マクロ基地局に属してよく、又は、スモールセル( Ｓｍａｌｌ ｃｅｌｌ )に対応する基地局に属してよく、ここで、スモールセルは、カバレッジが小さく、送信電力が低いという特徴を有する、高レートのデータ送信サービスを提供するのに適した、都市セル( Ｍｅｔｒｏ ｃｅｌｌ )、マイクロセル( Ｍｉｃｒｏ ｃｅｌｌ )、ピコセル( Ｐｉｃｏ ｃｅｌｌ )、フェムトセル( Ｆｅｍｔｏ ｃｅｌｌ )等を含んでよい。
【００７０】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００７１】
任意選択で、この無線通信システム１００は、モビリティ管理エンティティ( Ｍｏｂｉｌｉｔｙ Ｍａｎａｇｅｍｅｎｔ Ｅｎｔｉｔｙ、ＭＭＥ )、アクセス及びモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )などの他のネットワークエンティティをさらに含んでもよく、本願実施例はこれに限定されない。
【００７２】
さらに、本開示の様々な態様または特徴は、標準的なプログラミングおよび/またはエンジニアリング技術を使用して、方法、装置、または製品として実装され得る。本明細書で使用される「製品」という用語は、任意のコンピュータ可読デバイス、キャリア、または媒体からアクセス可能なコンピュータプログラムを包含する。例えば、コンピュータ可読媒体は、磁気記憶デバイス(例えば、ハードディスク、フロッピーディスク、又は磁気テープなど)、光ディスク(例えば、コンパクトディスク( Ｃｏｍｐａｃｔ Ｄｉｓｃ、ＣＤ )、デジタル多用途ディスク( Ｄｉｇｉｔａｌ Ｖｅｒｓａｔｉｌｅ Ｄｉｓｃ、ＤＶＤ )など)、スマートカード、及びフラッシュメモリデバイス(例えば、書き換え可能プログラマブルリードオンリメモリ( Ｅｒａｓａｂｌｅ Ｐｒｏｇｒａｍｍａｂｌｅ Ｒｅａｄ−Ｏｎｌｙ Ｍｅｍｏｒｙ、ＥＰＲＯＭ )、カード、スティック、又はキードライブなど)を含み得るが、これらに限定されない。さらに、本明細書に記載される様々な記憶媒体は、情報を記憶するための１つ以上のデバイスおよび/または他の機械可読媒体を表し得る。「機械可読媒体」という用語は、命令および/またはデータを記憶、包含、および/または担持することができる様々な媒体を含み得るが、それらに限定されない。
【００７３】
本明細書において、「システム」および「ネットワーク」という用語は、しばしば、本明細書において交換可能に使用されることが理解される。ここで、及び/又はとは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００７４】
図２は、本発明の実施例による情報伝送方法２００の概略的なフローチャートである。方法２００は、任意選択で、図１に示されるシステムに適用され得るが、これに限定されない。方法２００は、以下の少なくとも一部を含む。
【００７５】
Ｓ２１０において、端末デバイスがページングメッセージをスケジューリングする下り制御情報を受信し、該下り制御情報が第１の指示情報を含み、該第１の指示情報は、該下り制御情報に含まれる制御情報のタイプを示す。
【００７６】
任意選択で、この端末デバイスは、ＲＲＣアイドル（ｉｄｌｅ）状態にあってもよく、ＲＲＣ接続状態にあってもよい。
【００７７】
Ｓ２２０において、該端末デバイスが該第１の指示情報に基づいて、該下り制御情報に含まれる制御情報のタイプを決定する。
【００７８】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む。
【００７９】
任意選択で、該ショートメッセージは、システムメッセージ更新の指示、コマーシャルアラート指示及び津波地震アラートの指示のうちの少なくとも１つを含む。
【００８０】
任意選択で、このショートメッセージに含まれる各情報は１ビットに対応し、すなわち、この下り制御情報には、このショートメッセージ内の各情報に対する指示ビットがさらに含まれ、ここで、このショートメッセージに含まれる各情報は１ビットに対応する。例えば、システムメッセージ更新の指示はビットＡに対応し、ビットＡが値０であるときは、該ショートメッセージにシステムメッセージ更新の指示が含まれていないことを示し、ビットＡが値１であるときは、該ショートメッセージにシステムメッセージ更新の指示が含まれていることを示し、コマーシャルアラート指示は、ビットＢに対応し、ビットＢが０の値をとるとき、該ショートメッセージにこのコマーシャルアラート指示が含まれていないことを示し、ビットＢが１の値をとるとき、該ショートメッセージにコマーシャルアラート表示が含まれていることを示し、津波地震アラートの指示は、ビットＣに対応し、ビットＣが０の値であるとき、ショートメッセージに津波地震アラートの指示が含まれていないことの指示を示し、ビットＣが１の値であるとき、ショートメッセージに津波地震アラートの指示が含まれていることの指示を示す。
【００８１】
なお、Ｒｅｌ―１６及び後続のリリースではページング（ｐａｇｉｎｇ）メッセージの伝送がさらに強化され、ページング（ｐａｇｉｎｇ）メッセージをスケジューリングするＤＣＩが変化する可能性がある。
【００８２】
任意選択で、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがリリースＲｅｌ１６または後続のリリースの拡張ページングメカニズムにおける下り制御情報であることを示す。
【００８３】
例えば、該第１の指示ビットが２つのビットを占用する。この時、該第１のビットが００、該第２のビットが０１、該第３のビットが１０、該第４のビットが１１であっても良い。つまり、該第１の指示ビットが００である場合、該第１の指示情報は、該下り制御情報に含まれる制御情報のタイプがページングメッセージが搬送されるＰＤＳＣＨのスケジューリング情報であることを示し、該第１の指示ビットが０１である場合、該第１の指示情報は、該下り制御情報に含まれる制御情報のタイプがショートメッセージであることを示し、該第１の指示ビットが１０である場合、該第１の指示情報は、該下り制御情報に含まれる制御情報のタイプがページングメッセージが搬送されるＰＤＳＣＨのスケジューリング情報及びショートメッセージであることを示し、該第１の指示ビットが１１である場合、該第１の指示情報は、該下り制御情報に含まれる制御情報のタイプがリリースＲｅｌ１６または後続のリリースの拡張ページングメカニズムにおける下り制御情報であることを示す。
【００８４】
任意選択で、該第１の指示ビットが該第４のビットである場合、該下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【００８５】
任意選択で、該第１の指示情報が第２の指示ビットを含み、ここで、該第２の指示ビットは、Ｒｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【００８６】
具体的に、該第１の指示情報が該第１の指示ビットと該第２の指示ビットを結合し該下り制御情報に含まれる制御情報のタイプを示し、
該第１の指示ビットが該第４のビット、該第２の指示ビットが第５のビットである場合、該第１の指示情報は、該下り制御情報に含まれる制御情報のタイプがＲｅｌ １６又は後続のリリースにおけるページングメッセージが搬送されるＰＤＳＣＨのスケジューリング情報であることを示し、又は、
該第１の指示ビットが該第４のビット、該第２の指示ビットが第６のビットである場合、該第１の指示情報は、該下り制御情報に含まれる制御情報のタイプがＲｅｌ １６又は後続のリリースにおけるショートメッセージであることを示し、又は、
該第１の指示ビットが該第４のビット、該第２の指示ビットが第７のビットである場合、該第１の指示情報は、該下り制御情報に含まれる制御情報のタイプがＲｅｌ １６又は後続のリリースにおけるページングメッセージが搬送されるＰＤＳＣＨのスケジューリング情報及びショートメッセージであることを示す。
【００８７】
例えば、該第２の指示ビットが２つのビットを占用する。この時、該第１の指示ビットが、該下り制御情報に含まれる制御情報のタイプがリリースＲｅｌ１６または後続のリリースの拡張ページングメカニズムにおける下り制御情報であることを示す場合、該第５のビットが００、該第６のビットが０１、該第７のビットが１０であっても良い。つまり、該第２の指示ビットが００である場合、該第１の指示情報は、該下り制御情報に含まれる制御情報のタイプがＲｅｌ １６又は後続のリリースにおけるページングメッセージが搬送されるＰＤＳＣＨのスケジューリング情報であることを示し、該第２の指示ビットが０１である場合、該第１の指示情報は、該下り制御情報に含まれる制御情報のタイプがＲｅｌ １６又は後続のリリースにおけるショートメッセージであることを示し、該第２の指示ビットが１０である場合、該第１の指示情報は、該下り制御情報に含まれる制御情報のタイプがＲｅｌ １６又は後続のリリースにおけるページングメッセージが搬送されるＰＤＳＣＨのスケジューリング情報及びショートメッセージであることを示す。
【００８８】
任意選択で、該第１の指示情報が第３の指示ビットを含み、ここで、
該第３の指示ビットが第８のビットである場合、該第１の指示情報は、該下り制御情報に含まれる制御情報のタイプがページングメッセージが搬送されるＰＤＳＣＨのスケジューリング情報及びショートメッセージであることを示し、又は、
該第３の指示ビットが第９のビットである場合、該第１の指示情報は、該下り制御情報に含まれる制御情報のタイプがショートメッセージであることを示す。
【００８９】
任意選択で、該第３の指示ビットが該第９のビットである場合、ページングメッセージが搬送されるＰＤＳＣＨのスケジューリング情報のビットフィールドが存在し、該ビットフィールドがスケジューリング情報を示さない。
【００９０】
任意選択で、該第３の指示ビットが該第９のビットである場合、ページングメッセージが搬送されるＰＤＳＣＨのスケジューリング情報のビットフィールドが存在しなく、ショートメッセージが搬送されるビットフィールドは、該下り制御情報においてショートメッセージに対する位置又はページングメッセージが搬送されるＰＤＳＣＨのスケジューリング情報に対する位置に位置する。
【００９１】
例えば、該第３の指示ビットが１つのビットを占用する。この時、該第８のビットが０、該第９のビットが１であっても良い。つまり、該第３の指示ビットが０である場合、該第１の指示情報は、該下り制御情報に含まれる制御情報のタイプがページングメッセージが搬送されるＰＤＳＣＨのスケジューリング情報及びショートメッセージであることを示し、該第３の指示ビットが１である場合、該第１の指示情報は、該下り制御情報に含まれる制御情報のタイプがショートメッセージであることを示す。
【００９２】
一実施例として、表１に示すように、該第１の指示情報が第１の指示ビットを含み、該第１の指示ビットが２つのビットを占用し、この２ビットは、ページングメッセージをスケジューリングする下り制御情報( Ｄｏｗｎｌｉｎｋ Ｃｏｎｔｒｏｌ Ｉｎｆｏｒｍａｔｉｏｎ、ＤＣＩ )に含まれる制御情報のタイプを指示する。
【表１】
2021525027.tif 000003
【００９３】
なお、第１の指示ビットが「００」、「０１」、「１０」であれば、Ｒｅｌ―１５の下り制御情報のタイプを示しているが、Ｒｅｌ―１６以降の上位リリースの端末デバイスは、Ｒｅｌ―１５の下り制御情報のタイプをそのまま利用できる。
【００９４】
Ｒｅｌ―１５の端末デバイスに対しては、部分指示ビットの組み合わせ(この第１指示ビットが「１１」)が予約され、すなわち、Ｒｅｌ−１５端末デバイスに対しては、これらのビットの組み合わせ(この第１指示ビットが「１１」)を用いずに制御情報タイプの指示が行われている、
この部分指示ビットの組合せ（該第１の指示ビットが「１１」）は、Ｒｅｌ―１６以降リリースの端末デバイスが識別制御情報である拡張ｐａｇｉｎｇに対応する下り制御情報タイプであることに使用される。
【００９５】
さらに、該第１の指示ビットが「１１」を示すとき、該第１の指示情報は第２の指示ビットをさらに含み、該第２の指示ビットが２つのビットを占用し、表２に示すように、ページングメッセージをスケジューリングするＤＣＩに含まれる制御情報のタイプを示す。
【表２】
2021525027.tif 000004
【００９６】
一実施例として、表３に示すように、該第１の指示情報が第３の指示ビットを含み、該第３の指示ビットが１つのビットを占用し、この１つのビットが表３でページングメッセージをスケジューリングするＤＣＩが含まれる制御情報のタイプを指示する。
【表３】
2021525027.tif 000005
【００９７】
そして、本願の実施例において、ページングメッセージをスケジューリングする下り制御情報内の第１の指示情報が下り制御情報に含まれる制御情報のタイプを示し、さらに、端末デバイスが下り制御情報に含まれる制御情報のタイプを決定することができる。
【００９８】
そして、ネットワークデバイスは、異なる下り制御情報のタイプを状況に応じて使用するとともに、指示オーバーヘッドを効率的に抑えることができる。
【００９９】
図３は、本発明の実施例による情報伝送方法３００の概略的なフローチャートである。方法３００は、任意選択で、図１に示されるシステムに適用され得るが、これに限定されない。方法３００は、以下の少なくとも一部を含む。
【０１００】
Ｓ３１０において、ネットワークデバイスがページングメッセージをスケジューリングする下り制御情報を端末デバイスに送信し、該下り制御情報が第１の指示情報を含み、該第１の指示情報は、該端末デバイスが該下り制御情報に含まれる制御情報のタイプを決定するように指示する。
【０１０１】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ−１５の端末デバイスに対する予約情報のうちの少なくとも１つを含む。
【０１０２】
任意選択で、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがＲｅｌ―１５の端末デバイスに対する予約情報であることを示す。
【０１０３】
一実施例として、表１に示すように、該第１の指示情報が第１の指示ビットを含み、該第１の指示ビットが２つのビットを占用し、この２ビットは、表１でページングメッセージをスケジューリングする下り制御情報( Ｄｏｗｎｌｉｎｋ Ｃｏｎｔｒｏｌ Ｉｎｆｏｒｍａｔｉｏｎ、ＤＣＩ )に含まれる制御情報のタイプを指示する。
【表４】
2021525027.tif 000006
【０１０４】
なお、第１の指示ビットが「００」、「０１」、「１０」であれば、Ｒｅｌ―１５の下り制御情報のタイプを示しているが、Ｒｅｌ―１６以降の上位リリースの端末デバイスは、Ｒｅｌ―１５の下り制御情報のタイプをそのまま利用できる。
【０１０５】
Ｒｅｌ―１５の端末デバイスに対しては、部分指示ビットの組み合わせ(この第１指示ビットが「１１」)が予約され、すなわち、Ｒｅｌ−１５端末デバイスに対しては、これらのビットの組み合わせ(この第１指示ビットが「１１」)を用いずに制御情報タイプの指示が行われている。
【０１０６】
この部分指示ビットの組合せ（該第１の指示ビットが「１１」）は、Ｒｅｌ―１６以降リリースの端末デバイスが識別制御情報である拡張ｐａｇｉｎｇに対応する下り制御情報タイプであることに使用される。
【０１０７】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報のうちの少なくとも１つを含む。
【０１０８】
任意選択で、該ショートメッセージは、システムメッセージ更新の指示、コマーシャルアラート指示及び津波地震アラートの指示のうちの少なくとも１つを含む。
【０１０９】
任意選択で、該第１の指示情報が第１の指示ビットを含み、ここで、
該第１の指示ビットが第１のビットである場合、該第１の指示情報は、該端末デバイスが該下り制御情報に含まれる制御情報のタイプをページングメッセージが搬送されるＰＤＳＣＨのスケジューリング情報として決定するように指示し、又は、
該第１の指示ビットが第２のビットである場合、該第１の指示情報は、該端末デバイスが該下り制御情報に含まれる制御情報のタイプをショートメッセージとして決定するように指示し、又は、
該第１の指示ビットが第３のビットである場合、該第１の指示情報は、該端末デバイスが該下り制御情報に含まれる制御情報のタイプをページングメッセージが搬送されるＰＤＳＣＨのスケジューリング情報及びショートメッセージとして決定するように指示し、又は、
該第１の指示ビットが第４のビットである場合、該第１の指示情報は、該端末デバイスが該下り制御情報に含まれる制御情報のタイプをリリースＲｅｌ１６または後続のリリースの拡張ページングメカニズムにおける下り制御情報として決定するように指示する。
【０１１０】
任意選択で、該第１の指示ビットが２つのビットを占用する。
【０１１１】
具体的に、該第１の指示ビットが該第４のビットである場合、該下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【０１１２】
任意選択で、該第１の指示情報が第２の指示ビットを含み、ここで、該第２の指示ビットは、Ｒｅｌ １６又は後続のリリースにおけるページングメッセージが搬送されるＰＤＳＣＨのスケジューリング情報であることを示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【０１１３】
具体的に、該第１の指示情報は、該第１の指示ビット及び該第２の指示ビットを結合し、該下り制御情報に含まれる制御情報のタイプを示し、
該第１の指示ビットが該第４のビット、該第２の指示ビットが第５のビットである場合、該第１の指示情報は、該端末デバイスが該下り制御情報に含まれる制御情報のタイプをＲｅｌ １６又は後続のリリースにおけるページングメッセージが搬送されるＰＤＳＣＨのスケジューリング情報として決定するように指示し、又は、
該第１の指示ビットが該第４のビット、該第２の指示ビットが第６のビットである場合、該第１の指示情報は、該端末デバイスが該下り制御情報に含まれる制御情報のタイプをＲｅｌ １６又は後続のリリースにおけるショートメッセージとして決定するように指示し、又は、
該第１の指示ビットが該第４のビット、該第２の指示ビットが第７のビットである場合、該第１の指示情報は、該端末デバイスが該下り制御情報に含まれる制御情報のタイプをＲｅｌ １６又は後続のリリースにおけるページングメッセージが搬送されるＰＤＳＣＨのスケジューリング情報及びショートメッセージとして決定するように指示する。
【０１１４】
任意選択で、該第２の指示ビットが２つのビットを占用する。
【０１１５】
任意選択で、該第１の指示情報が第３の指示ビットを含み、ここで、
該第３の指示ビットが第８のビットである場合、該第１の指示情報は、該下り制御情報に含まれる制御情報のタイプがページングメッセージが搬送されるＰＤＳＣＨのスケジューリング情報及びショートメッセージであることを示し、又は、
該第３の指示ビットが第９のビットである場合、該第１の指示情報は、該下り制御情報に含まれる制御情報のタイプがショートメッセージであることを示し。
【０１１６】
任意選択で、該第３の指示ビットが該第９のビットである場合、ページングメッセージが搬送されるＰＤＳＣＨのスケジューリング情報のビットフィールドが存在し、該ビットフィールドがスケジューリング情報を示さない。
【０１１７】
任意選択で、該第３の指示ビットが該第９のビットである場合、ページングメッセージが搬送されるＰＤＳＣＨのスケジューリング情報のビットフィールドが存在しなく、ショートメッセージが搬送されるビットフィールドは、該下り制御情報においてショートメッセージに対する位置又はページングメッセージが搬送されるＰＤＳＣＨのスケジューリング情報に対する位置に位置する。
【０１１８】
任意選択で、該第３の指示ビットが１つのビットを占用する。
【０１１９】
なお、情報伝送方法３００におけるステップは、情報伝送方法２００における対応するステップにおけるものであってもよく、簡潔のためにここでは説明を省略する。
【０１２０】
そして、本願の実施例では、ページングメッセージをスケジューリングする下り制御情報における第１の指示情報は、下り制御情報に含まれる制御情報のタイプを示すことができ、これにより、ネットワークデバイスは、状況に応じて異なる下り制御情報のタイプを使い分けることができるとともに、全体の指示オーバーヘッドも効果的に制御することができる。
【０１２１】
図４は本願の実施例における端末デバイス４００のブロック図である。図４に示すように、該端末デバイス４００は、通信ユニット４１０及び処理ユニット４２０を含み、
通信ユニット４１０は、ページングメッセージをスケジューリングする下り制御情報を受信するように構成され、該下り制御情報が第１の指示情報を含み、該第１の指示情報は、該下り制御情報に含まれる制御情報のタイプを示し、
処理ユニット４２０は、該第１の指示情報に基づいて、該下り制御情報に含まれる制御情報のタイプを決定するように構成される。
【０１２２】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ―１５の端末デバイスに対する予約情報のうちの少なくとも１つを含む。
【０１２３】
任意選択で、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがＲｅｌ―１５に対する端末デバイスの予約情報であることを示す。
【０１２４】
一実施例として、表１に示すように、該第１の指示情報が第１の指示ビットを含み、該第１の指示ビットが２つのビットを占用し、この２ビットは、表１でページングメッセージをスケジューリングする下り制御情報( Ｄｏｗｎｌｉｎｋ Ｃｏｎｔｒｏｌ Ｉｎｆｏｒｍａｔｉｏｎ、ＤＣＩ )に含まれる制御情報のタイプを指示する。
【表５】
2021525027.tif 000007
【０１２５】
なお、第１の指示ビットが「００」、「０１」、「１０」であれば、Ｒｅｌ―１５の下り制御情報のタイプを示しているが、Ｒｅｌ―１６以降の上位リリースの端末デバイスは、Ｒｅｌ―１５の下り制御情報のタイプをそのまま利用できる。
【０１２６】
Ｒｅｌ―１５の端末デバイスに対しては、部分指示ビットの組み合わせ(この第１指示ビットが「１１」)が予約され、すなわち、Ｒｅｌ−１５端末デバイスに対しては、これらのビットの組み合わせ(この第１指示ビットが「１１」)を用いずに制御情報タイプの指示が行われている、
この部分指示ビットの組合せ（該第１の指示ビットが「１１」）は、Ｒｅｌ―１６以降リリースの端末デバイスが識別制御情報である拡張ｐａｇｉｎｇに対応する下り制御情報タイプであることに使用される。
【０１２７】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報。
【０１２８】
任意選択で、該ショートメッセージは、システムメッセージ更新の指示、コマーシャルアラート指示及び津波地震アラートの指示のうちの少なくとも１つを含む。
【０１２９】
任意選択で、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがリリースＲｅｌ１６または後続のリリースの拡張ページングメカニズムにおける下り制御情報であることを示す。
【０１３０】
任意選択で、該第１の指示ビットが２つのビットを占用する。
【０１３１】
任意選択で、該第１の指示ビットが該第４のビットである場合、該下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【０１３２】
任意選択で、該第１の指示情報が第２の指示ビットを含み、ここで、該第２の指示ビットは、Ｒｅｌ １６又は後続のリリースにおけるページングメッセージが搬送されるＰＤＳＣＨのスケジューリング情報を示し、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【０１３３】
任意選択で、該第１の指示ビットが該第４のビット、該第２の指示ビットが第５のビットである場合、該第１の指示情報は、該下り制御情報に含まれる制御情報のタイプがＲｅｌ １６又は後続のリリースにおけるページングメッセージが搬送されるＰＤＳＣＨのスケジューリング情報であることを示し、又は、
該第１の指示ビットが該第４のビット、該第２の指示ビットが第６のビットである場合、該第１の指示情報は、該下り制御情報に含まれる制御情報のタイプがＲｅｌ １６又は後続のリリースにおけるショートメッセージであることを示し、又は、
該第１の指示ビットが該第４のビット、該第２の指示ビットが第７のビットである場合、該第１の指示情報は、該下り制御情報に含まれる制御情報のタイプがＲｅｌ １６又は後続のリリースにおけるページングメッセージが搬送されるＰＤＳＣＨのスケジューリング情報及びショートメッセージであることを示す。
【０１３４】
任意選択で、該第２の指示ビットが２つのビットを占用する。
【０１３５】
任意選択で、該第１の指示情報が第３の指示ビットを含み、ここで、
該第３の指示ビットが第８のビットである場合、該第１の指示情報は、該下り制御情報に含まれる制御情報のタイプがページングメッセージが搬送されるＰＤＳＣＨのスケジューリング情報及びショートメッセージであることを示し、又は、
該第３の指示ビットが第９のビットである場合、該第１の指示情報は、該下り制御情報に含まれる制御情報のタイプがショートメッセージであることを示す。
【０１３６】
任意選択で、該第３の指示ビットが該第９のビットである場合、ページングメッセージが搬送されるＰＤＳＣＨのスケジューリング情報のビットフィールドが存在し、該ビットフィールドがスケジューリング情報を示さない。
【０１３７】
任意選択で、該第３の指示ビットが該第９のビットである場合、ページングメッセージが搬送されるＰＤＳＣＨのスケジューリング情報のビットフィールドが存在しなく、ショートメッセージが搬送されるビットフィールドは、該下り制御情報においてショートメッセージに対する位置又はページングメッセージが搬送されるＰＤＳＣＨのスケジューリング情報に対する位置に位置する。
【０１３８】
任意選択で、該第３の指示ビットが１つのビットを占用する。
【０１３９】
なお、本願の実施例による端末デバイス４００の各モジュールの上記及び他の動作及び/又は機能は、それぞれ図２の方法２００における端末デバイスの対応するフローを実現し、ここで説明を省略する。
【０１４０】
図５は本願の実施例におけるネットワークデバイス５００のブロック図である。図５に示すように、該ネットワークデバイス５００は、通信ユニット５１０を含み、
通信ユニット５１０は、ページングメッセージをスケジューリングする下り制御情報を端末デバイスに送信するように構成され、該下り制御情報が第１の指示情報を含み、該第１の指示情報は、該端末デバイスが該下り制御情報に含まれる制御情報のタイプを決定するように指示する。
【０１４１】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、Ｒｅｌ―１５の端末デバイスに対する予約情報のうちの少なくとも１つを含む。
【０１４２】
任意選択で、該第１の指示情報が第１の指示ビットを含み、ここで、
該第１の指示ビットが第１のビットである場合、該第１の指示情報は、該下り制御情報に含まれる制御情報のタイプがページングメッセージが搬送されるＰＤＳＣＨのスケジューリング情報であることを示し、又は、
該第１の指示ビットが第２のビットである場合、該第１の指示情報は、該下り制御情報に含まれる制御情報のタイプがショートメッセージであることを示し、又は、
該第１の指示ビットが第３のビットである場合、該第１の指示情報は、該下り制御情報に含まれる制御情報のタイプがページングメッセージが搬送されるＰＤＳＣＨのスケジューリング情報及びショートメッセージであることを示し、又は、
該第１の指示ビットが第４のビットである場合、該第１の指示情報は、該下り制御情報に含まれる制御情報のタイプがＲｅｌ―１５の端末デバイスに対する予約情報であることを示す。
【０１４３】
一実施例として、表１に示すように、該第１の指示情報が第１の指示ビットを含み、該第１の指示ビットが２つのビットを占用し、この２ビットは、表１でページングメッセージをスケジューリングする下り制御情報( Ｄｏｗｎｌｉｎｋ Ｃｏｎｔｒｏｌ Ｉｎｆｏｒｍａｔｉｏｎ、ＤＣＩ )に含まれる制御情報のタイプを指示する。
【表６】
2021525027.tif 000008
【０１４４】
なお、第１の指示ビットが「００」、「０１」、「１０」であれば、Ｒｅｌ―１５の下り制御情報のタイプを示しているが、Ｒｅｌ―１６以降の上位リリースの端末デバイスは、Ｒｅｌ―１５の下り制御情報のタイプをそのまま利用できる。
【０１４５】
Ｒｅｌ―１５の端末デバイスに対しては、部分指示ビットの組み合わせ(この第１指示ビットが「１１」)が予約され、すなわち、Ｒｅｌ−１５端末デバイスに対しては、これらのビットの組み合わせ(この第１指示ビットが「１１」)を用いずに制御情報タイプの指示が行われている、
この部分指示ビットの組合せ（該第１の指示ビットが「１１」）は、Ｒｅｌ―１６以降リリースの端末デバイスが識別制御情報である拡張ｐａｇｉｎｇに対応する下り制御情報タイプであることに使用される。
【０１４６】
任意選択で、該下り制御情報に含まれる制御情報のタイプは、
ページングメッセージが搬送されるＰＤＳＣＨのスケジューリング情報、ショートメッセージ、ページングメッセージが搬送されるＰＤＳＣＨのスケジューリング情報及びショートメッセージ、リリースＲｅｌ１６または後続のリリースの拡張ページングメカニズムにおける下り制御情報。
【０１４７】
任意選択で、該ショートメッセージは、システムメッセージ更新の指示、コマーシャルアラート指示及び津波地震アラートの指示のうちの少なくとも１つを含む。
【０１４８】
任意選択で、該第１の指示情報が第１の指示ビットを含み、ここで、
該第１の指示ビットが第１のビットである場合、該第１の指示情報は、該端末デバイスが該下り制御情報に含まれる制御情報のタイプをページングメッセージが搬送されるＰＤＳＣＨのスケジューリング情報として決定するように指示し、又は、
該第１の指示ビットが第２のビットである場合、該第１の指示情報は、該端末デバイスが該下り制御情報に含まれる制御情報のタイプをショートメッセージとして決定するように指示し、又は、
該第１の指示ビットが第３のビットである場合、該第１の指示情報は、該端末デバイスが該下り制御情報に含まれる制御情報のタイプをページングメッセージが搬送されるＰＤＳＣＨのスケジューリング情報及びショートメッセージとして決定するように指示し、又は、
該第１の指示ビットが第４のビットである場合、該第１の指示情報は、該端末デバイスが該下り制御情報に含まれる制御情報のタイプをリリースＲｅｌ１６または後続のリリースの拡張ページングメカニズムにおける下り制御情報として決定するように指示する。
【０１４９】
任意選択で、該第１の指示ビットが２つのビットを占用する。
【０１５０】
任意選択で、該第１の指示ビットが該第４のビットである場合、該下り制御情報に含まれる制御情報のタイプは、さらに、
Ｒｅｌ １６又は後続のリリースにおけるページングメッセージが搬送されるＰＤＳＣＨのスケジューリング情報、Ｒｅｌ １６又は後続のリリースにおけるショートメッセージ、Ｒｅｌ １６又は後続のリリースにおけるページングメッセージが搬送されるＰＤＳＣＨのスケジューリング情報及びショートメッセージを含む。
【０１５１】
任意選択で、該第１の指示情報が第２の指示ビットを含み、ここで、該第２の指示ビットは、Ｒｅｌ １６又は後続のリリースにおけるページングメッセージが搬送されるＰＤＳＣＨのスケジューリング情報、又は、Ｒｅｌ １６又は後続のリリースにおけるショートメッセージを示し、又は、Ｒｅｌ １６又は後続のリリースにおけるページングメッセージが搬送されるＰＤＳＣＨのスケジューリング情報及びショートメッセージを示す。
【０１５２】
任意選択で、該第１の指示ビットが該第４のビット、該第２の指示ビットが第５のビットである場合、該第１の指示情報は、該端末デバイスが該下り制御情報に含まれる制御情報のタイプをＲｅｌ １６又は後続のリリースにおけるページングメッセージが搬送されるＰＤＳＣＨのスケジューリング情報として決定するように指示し、又は、
該第１の指示ビットが該第４のビット、該第２の指示ビットが第６のビットである場合、該第１の指示情報は、該端末デバイスが該下り制御情報に含まれる制御情報のタイプをＲｅｌ １６又は後続のリリースにおけるショートメッセージとして決定するように指示し、又は、
該第１の指示ビットが該第４のビット、該第２の指示ビットが第７のビットである場合、該第１の指示情報は、該端末デバイスが該下り制御情報に含まれる制御情報のタイプをＲｅｌ １６又は後続のリリースにおけるページングメッセージが搬送されるＰＤＳＣＨのスケジューリング情報及びショートメッセージとして決定するように指示する。
【０１５３】
任意選択で、該第２の指示ビットが２つのビットを占用する。
【０１５４】
任意選択で、該第１の指示情報が第３の指示ビットを含み、ここで、
該第３の指示ビットが第８のビットである場合、該第１の指示情報は、該下り制御情報に含まれる制御情報のタイプがページングメッセージが搬送されるＰＤＳＣＨのスケジューリング情報及びショートメッセージであることを示し、又は、
該第３の指示ビットが第９のビットである場合、該第１の指示情報は、該下り制御情報に含まれる制御情報のタイプがショートメッセージであることを示す。
【０１５５】
任意選択で、該第３の指示ビットが該第９のビットである場合、ページングメッセージが搬送されるＰＤＳＣＨのスケジューリング情報のビットフィールドが存在し、該ビットフィールドがスケジューリング情報を示さない。
【０１５６】
任意選択で、該第３の指示ビットが該第９のビットである場合、ページングメッセージが搬送されるＰＤＳＣＨのスケジューリング情報のビットフィールドが存在しなく、ショートメッセージが搬送されるビットフィールドは、該下り制御情報においてショートメッセージに対する位置又はページングメッセージが搬送されるＰＤＳＣＨのスケジューリング情報に対する位置に位置する。
【０１５７】
任意選択で、該第３の指示ビットが１つのビットを占用する。
【０１５８】
なお、本願の実施例によるネットワークデバイス５００における様々なモジュールの上記及び他の動作及び/又は機能は、それぞれ、図３の方法３００におけるネットワークデバイスの対応するフローを実施するために、簡潔のためにここでは説明を省略する。
【０１５９】
図６は、本願の実施例による通信デバイス６００の概略的なブロック図である。図６に示す通信デバイス６００は、メモリからコンピュータプログラムを呼び出して実行することにより、本願の実施例における方法を実現するプロセッサ６１０を有する。
【０１６０】
任意選択で、図６に示されるように、通信デバイス６００は、メモリ６２０をさらに含み得る。ここで、プロセッサ６１０は、メモリ６２０からコンピュータプログラムを呼び出して実行することにより、本願の実施例における方法を実現する。
【０１６１】
ここで、メモリ６２０は、プロセッサ６１０とは独立した１つの別個の部品であってもよく、プロセッサ６１０に集積されてもよい。
【０１６２】
任意選択で、図６に示すように、通信デバイス６００は、送受信機６３０を更に含むことができ、プロセッサ６１０が送受信機６３０と他のデバイスと通信するように制御することができる、具体的には、他のデバイスに情報又はデータを送信するか、又は他のデバイスによって送信された情報又はデータを受信することができる。
【０１６３】
ここで、送受信機６３０は、送信機および受信機を含み得る。送受信機６３０は、１つ以上の数のアンテナをさらに含むことができる。
【０１６４】
任意選択で、この通信デバイス６００は、本願の実施例のネットワークデバイスであってもよく、通信デバイス６００は、本願の実施例の様々な方法においてネットワークデバイスにより実施される対応するフローを実施してもよく、簡潔のためにここでは詳しい説明を省略する。
【０１６５】
任意選択で、通信デバイス６００は、本願の実施例の端末デバイスであってもよく、通信デバイス６００は、本願の実施例の様々な方法において端末デバイスによって実施される対応するフローを実施してもよく、簡潔のためにここでは詳しい説明を省略する。
【０１６６】
図７は、本開示の実施例によるチップ７００の概略ブロック図である。図７に示されるチップ７００は、メモリからコンピュータプログラムを呼び出して実行することにより、本願の実施例における方法を実行することができるプロセッサ７１０を含む。
【０１６７】
任意選択で、図７に示されるように、チップ７００は、メモリ７２０をさらに含むことができる。ここで、プロセッサ７１０は、メモリ７２０からコンピュータプログラムを呼び出して実行することにより、本願の実施例における方法を実現することができる。
【０１６８】
ここで、メモリ７２０は、プロセッサ７１０とは独立した別個の部品であってもよく、プロセッサ７１０に集積されていてもよい。
【０１６９】
任意選択で、チップ７００は、入力インターフェース７３０をさらに含むことができる。プロセッサ７１０は、入力インターフェース７３０を制御して他のデバイスまたはチップと通信してもよく、具体的には、他のデバイスまたはチップによって送信された情報またはデータを取得してもよい。
【０１７０】
任意選択で、チップ７００は、出力インターフェース７４０をさらに含み得る。プロセッサ７１０は、出力インターフェース７４０を制御して、他のデバイス又はチップと通信してもよく、具体的には、他のデバイス又はチップに情報又はデータを出力してもよい。
【０１７１】
任意選択で、チップは、本願の実施例におけるネットワークデバイスに適用されてもよく、チップは、本願の実施例の様々な方法においてネットワークデバイスによって実施される対応するフローを実施してもよく、簡潔にするためにここでは詳しい説明を省略する。
【０１７２】
任意選択で、チップは、本願の実施例における端末デバイスに適用されてもよく、チップは、本願の実施例の様々な方法において端末デバイスによって実施される対応するフローを実施してもよく、簡潔さのためにここでは繰り返し説明しない。
【０１７３】
なお、本願の実施例で言及されるチップは、システムオンチップ、チップシステム、またはシステムオンチップなどと呼ばれることもある。
【０１７４】
上記のプロセッサは、汎用プロセッサ、デジタル信号プロセッサ( ｄｉｇｉｔａｌ  ｓｉｇｎａｌ  ｐｒｏｃｅｓｓｏｒ、ＤＳＰ )、既製のプログラマブルゲートアレイ( ｆｉｅｌｄ ｐｒｏｇｒａｍｍａｂｌｅ ｇａｔｅ ａｒｒａｙ、ＦＰＧＡ )、特定用途向け集積回路( ａｐｐｌｉｃａｔｉｏｎ ｓｐｅｃｉｆｉｃ ｉｎｔｅｇｒａｔｅｄ ｃｉｒｃｕｉｔ、ＡＳＩＣ )、又は他のプログラマブル論理デバイス、トランジスタロジックデバイス、ディスクリートハードウェアコンポーネント等であり得る。ここで、汎用プロセッサは、マイクロプロセッサであってもよいし、一般的なプロセッサ等であってもよい。
【０１７５】
上記メモリは、揮発性メモリまたは不揮発性メモリであってもよく、または揮発性メモリおよび不揮発性メモリの両方を含んでもよい。ここで、不揮発性メモリは、リードオンリーメモリ( ｒｅａｄ−ｏｎｌｙ ｍｅｍｏｒｙ、ＲＯＭ )、プログラマブルリードオンリーメモリ( ｐｒｏｇｒａｍｍａｂｌｅ ＲＯＭ、ＰＲＯＭ )、消去可能プログラマブルリードオンリーメモリ( ｅｒａｓａｂｌｅ ＰＲＯＭ、ＥＰＲＯＭ )、電気的消去可能プログラマブルリードオンリーメモリ( ｅｌｅｃｔｒｉｃａｌｌｙ ＥＰＲＯＭ、ＥＥＰＲＯＭ )、またはフラッシュメモリであってもよい。揮発性メモリは、ランダムアクセスメモリ( ｒａｎｄｏｍ ａｃｃｅｓｓ ｍｅｍｏｒｙ、ＲＡＭ )であってよい。
【０１７６】
上述のメモリは、限定ではなく例示的であるが、例えば、本願の実施例におけるメモリは、スタティックランダムアクセスメモリ( ｓｔａｔｉｃ ＲＡＭ、ＳＲＡＭ )、ダイナミックランダムアクセスメモリ( ｄｙｎａｍｉｃ ＲＡＭ、ＤＲＡＭ )、同期ダイナミックランダムアクセスメモリ( ｓｙｎｃｈｒｏｎｏｕｓ ＤＲＡＭ、ＳＤＲＡＭ )、デュアルデータレート同期ダイナミックランダムアクセスメモリ( ｄｏｕｂｌｅ ｄａｔａ ｒａｔｅ ＳＤＲＡＭ、ＤＤＲ ＳＤＲＡＭ )、拡張同期ダイナミックランダムアクセスメモリ( ｅｎｈａｎｃｅｄ ＳＤＲＡＭ、ＥＳＤＲＡＭ )、同期接続ダイナミックランダムアクセスメモリ( ｓｙｎｃｈ ｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )等であってもよいことが理解されるべきである。すなわち、本願の実施例におけるメモリは、これら及び任意の他の適切なタイプのメモリを含むことを意図しているが、これらに限定されない。
【０１７７】
図８は本願の実施例における無線通信システム８００のブロック図である。図８に示すように、該無線通信システム８００は、端末デバイス８１０及びネットワークデバイス８２０を含む。ここで、該端末デバイス８１０は、ページングメッセージをスケジューリングする下り制御情報を受信し、前記下り制御情報が第１の指示情報を含み、前記第１の指示情報が前記下り制御情報に含まれる制御情報のタイプを示し、前記第１の指示情報に基づいて、前記下り制御情報に含まれる制御情報のタイプを決定する。該ネットワークデバイス８２０は、ページングメッセージをスケジューリングする下り制御情報を端末デバイスに送信し、前記下り制御情報が第１の指示情報を含み、前記第１の指示情報は、前記端末デバイスが前記下り制御情報に含まれる制御情報のタイプを決定するために用いられる。
【０１７８】
ここで、該端末デバイス８１０は、上記方法２００において端末デバイスにより実現される対応する機能を実現するために使用されてもよく、該端末デバイス８１０の構成は、図４における端末デバイス４００に示されてもよく、簡潔にするために、ここでは詳しい説明を省略する。
【０１７９】
ネットワークデバイス８２０は、上述の方法３００においてネットワークデバイスによって実施される対応する機能を実施するために使用されてもよく、ネットワークデバイス８２０の構成は、図５においてネットワークデバイス５００に示されてもよく、簡潔にするためにここで説明を省略する。
【０１８０】
上記実施例において、ソフトウェア、ハードウェア、ファームウェア、又はこれらの組み合わせにより、全部又は一部が実現されてもよい。ソフトウェアで実装する場合、全体的に又は部分的にコンピュータプログラム製品の形態で実装することができる。コンピュータプログラム製品は、１つ又は複数のコンピュータ命令を含む。コンピュータプログラム命令は、コンピュータ上でロードされ実行されると、本願の実施例に記載のフロー又は機能を全体的に又は部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、ウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( DＳL ) )、または無線(例えば、赤外線、無線、マイクロ波など)によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、ＤＶＤ )、又は半導体媒体(例えば、ソリッドステートドライブ( Ｓｏｌｉｄ Ｓｔａｔｅ Ｄｉｓｋ、ＳＳＤ ) )などであってもよい。
【０１８１】
なお、本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではない。
【０１８２】
当業者であれば、説明の便宜及び簡潔にするために、上記に説明されたシステム、装置及びユニットの具体的な動作プロセスは、前述の方法の実施例における対応するプロセスを参照してもよく、ここでその説明が省略されることを理解するであろう。
【０１８３】
以上の説明は、本発明の特定の実施例にすぎず、本発明の保護範囲は、これに限定されるものではなく、本発明の技術分野における通常の知識を有する者であれば、本発明の技術的範囲内で容易に変形や置換を想到できるものであり、それらも本発明の保護範囲に包含されるものである。したがって、本発明の保護範囲は、特許請求の範囲の保護範囲に準ずるものとする。
【図１】
2021525027.tif 000009
【図２】
2021525027.tif 000010
【図３】
2021525027.tif 000011
【図４】
2021525027.tif 000012
【図５】
2021525027.tif 000013
【図６】
2021525027.tif 000014
【図７】
2021525027.tif 000015
【図８】
2021525027.tif 000016
【国際調査報告】
2021525027.tif 000017
2021525027.tif 000018
2021525027.tif 000019
2021525027.tif 000020